(57)【要約】【課題】  確実に停車時の自転車の転倒を防ぎ、かつ発光により周囲に注意を促すことができる自転車を提供する。【解決手段】  前輪２２を保持したフレームと一体的に取り付けられ前輪２２の両側に接地可能に設けられた一対の脚部材２６と、脚部材２６を伸縮させる伸縮手段と、脚部材２６に取り付けられ電源を備えた発光装置３８を有する。脚部材２６の上端部は、自転車１０の前方に設けられた荷物篭１４に取り付けられる。【選択図】図１
2006327221.tif 000002
【特許請求の範囲】
【請求項１】
前輪を保持したフレームと一体的に取り付けられ、前記前輪の両側に接地可能に設けられた一対の脚部材と、前記脚部材を伸縮させる伸縮手段と、前記脚部材に取り付けられ電源を備えた発光装置が設けられていることを特徴とする自転車。
【請求項２】
前記脚部材は、前記自転車の前方に設けられた荷物篭部に取り付けられていることを特徴とする請求項１記載の自転車。
【請求項３】
前記脚部材は、径が異なる複数のパイプシャフトが設けられ、径が大きい大径パイプシャフト内に、径が小さい小径パイプシャフトが挿抜自在に挿通され、大径パイプシャフトに挿通された小径パイプシャフトの一端部には、回動操作により大径パイプシャフトに係合する固定係止部材が設けられていることを特徴とする請求項１記載の自転車。
【請求項４】
前記脚部材の少なくとも一部分は透明な樹脂で形成され、前記脚部材のこの透明な部分の内側には、前記発光体が設けられていることを特徴とする請求項１記載の自転車。
【発明の詳細な説明】
【技術分野】
【０００１】
この発明は、荷物を載せる篭等が前方に設けられている自転車に関する。
【背景技術】
【０００２】
現在わが国の自転車の保有台数は８６００万台、年間販売数は１１００万台とされている。そして、自転車の転倒事故も多く発生し、この転倒事故の半数近くが停車中によるものとされている。この原因として、自転車の前方に設けられた荷物篭に重い荷物や小形犬を積んだり、前方に取り付けた幼児用座席に幼児を座らせたりすることに起因する場合がある。これは、この状態では重心が上方に位置するため不安定であり、突風や接触で簡単に倒れるためである。そこで、転倒を防止する方法として、ハンドルを固定したり、スタンドの幅を広げる等の工夫がされているが、荷物等が重いと倒れやすくなり、不十分であった。
【０００３】
この問題を解決するために、以下の特許文献に開示されているスタンド式の転倒防止装置が開示されている。特許文献１に開示されている自転車の転倒防止装置は、自転車の重心よりも高い位置における前輪寄りのフレームに設けた支点金具と、この支点金具に一端が取り付けられ駐輪時に他端が接地する伸縮自在もしくは折り畳み自在な、少なくとも１本の支柱が設けられているものである。また、特許文献２に開示されている簡易型自転車スタンドは、自転車フレーム部、シートポスト、サドル等に、取付部を設け、その取付部に様々な角度に調節、可動できる可動式ジョイントを設け、このジョイントに伸縮、折り畳み可能なスタンドポールが設けられているものである。
【特許文献１】特開２００２−２９４６５号公報
【特許文献２】特開２００４−３４９５２号公報
【発明の開示】
【発明が解決しようとする課題】
【０００４】
上記従来の技術の両者の場合、自転車の転倒は防止することができるが、停車時のハンドルの動きが自由であり、前輪側の篭に荷物等をおいて駐輪する場合は不安定なものであった。さらに、上記従来の技術においては、駐輪中に発光等により、周囲に注意を促す信号手段を有しているものではなかった。
【０００５】
また、従来の夜間走行時の所在確認の方法は、前方を向いた照明器具をハンドル等に取り付け、後方の泥除けに反射鏡を取り付けることが行われているが、十分ではなかった。
【０００６】
この発明は、上記従来の技術の問題点に鑑みてなされたものであり、確実に停車時の自転車の転倒を防ぎ、なおかつ発光により周囲に注意を促すことができる自転車を提供することを目的とする。
【課題を解決するための手段】
【０００７】
この発明は、前輪を保持したフレームと一体的に取り付けられ、前記前輪の両側に接地可能に設けられた一対の脚部材と、前記脚部材を伸縮させる伸縮手段と、前記脚部材に取り付けられ電源を備えた発光装置が設けられている自転車である。
【０００８】
また、前記脚部材の上端部は、前記自転車の前方に設けられた荷物篭に取り付けられている。
【０００９】
また、前記脚部材は、径が異なる複数のパイプシャフトが設けられ、径が大きい大径パイプシャフト内に、径が小さい小径パイプシャフトが挿抜自在に挿通され、大径パイプシャフトに挿通された小径パイプシャフトの一端部には、所定の操作により大径パイプシャフトに係合する固定係止部材が設けられている。前記固定係止部材の係合と解除を行う操作は、大径パイプシャフトと小径パイプシャフトを軸周りに相対回転させるものである。これにより、小径パイプシャフトは大径パイプシャフト内に収容可能である。
【００１０】
また、前記脚部材の少なくとも一部分は透明な樹脂で形成され、前記脚部材のこの透明な部分の内側には、前記発光体が設けられている。また、電源に光センサ回路が設けられていても良い。前記光センサ回路は、一定の明るさ以下に周囲の照度が低下すると、自動的に動作して電力を前記発光体に供給するものである。
【発明の効果】
【００１１】
本発明の自転車は、停車時に前輪側の脚部材が確実に地面に当接し、確実に自転車が自立し且つ前輪の向きが真っ直ぐに固定され、転倒を防ぐことができ、荷物の積み下ろしや幼児の乗り降りを、安全に行うことができる。また、暗いときには脚部が発光して、停車中に周囲に注意を促すことができ、この点からも安全性が向上する。
【発明を実施するための最良の形態】
【００１２】
以下、この発明の実施形態について図面に基づいて説明する。図１、図２はこの発明の一実施形態を示すもので、この実施形態の自転車１０は、ハンドル１２の前方に、前輪２２を保持したフレームと一体的に荷物篭１４が固定されている。荷物篭１４の底部１４ａの下側には、板状の固定板１６が、ネジ部材１８で荷物篭１４に固定されている。固定板１６には、円筒状の係合部２０が下方に突出して形成されている。係合部２０は、自転車１０の前輪２２を挟んで両側に１個ずつ設けられ、係合部２０の中空部２４の挿通方向は、固定板１６から下方に突出するに従い前輪から離れる方向に、つまり斜め下方に互いに開く方向に向いている。係合部２０の中空部２４内周面には、雌ねじ２５が形成されている。
【００１３】
固定板１６の一対の係合部２０には、同じ長さの脚部材２６が各々取り付けられている。脚部材２６は、径が異なる２本のパイプシャフトが設けられ、一方は径が大きい大径パイプシャフト２８であり、他方は大径パイプシャフト２８より径が小さい小径パイプシャフト３０である。そして小径パイプシャフト３０は、大径パイプシャフト２８の内側に遊嵌状態で挿通可能である。大径パイプシャフト２８の長さは、小径パイプシャフト３０よりも少し長く形成されている。
【００１４】
大径パイプシャフト２８の一方の端部２８ａには、雄ねじ３２が形成され、固定板１６の係合部２０の挿通部２４の雌ねじ２５に螺合されて取り付けられている。大径パイプシャフト２８の反対側の端部２８ｂには、円筒形のカバースリーブ３４が取り付けられ、カバースリーブ３４を通過して、小径パイプシャフト３０の一方の端部３０ａが大径パイプシャフト２８に挿抜自在に挿通されている。小径パイプシャフト３０の端部３０ａには、所定の操作により大径パイプシャフト２８の内周面に係合する固定係止部材が設けられている。この所定の操作は、大径パイプシャフト２８と小径パイプシャフト３０を軸周りに相対回転させるものである。これにより、小径パイプシャフト３０は大径パイプシャフト２８の任意の位置に係合可能であり、長さを調整すると共に小径パイプシャフト３０を大径パイプシャフト２８に収容する。
【００１５】
小径パイプシャフト３０の反対側の端部３０ｂには、地面に当接する接地部材３６が取り付けられている。なお、脚部材２６は、駐輪して接地部材３６を地面に当接させたとき、設置部材３６がハンドル１２の幅に収まるように、脚部材２６の傾斜角度が設定されている。
【００１６】
大径パイプシャフト２８の少なくとも端部２８ａ近傍は、透明な樹脂で設けられている。そして、大径パイプシャフト２８の端部２８ａ近傍には、大径パイプシャフト２８の内部に、発光装置３８が設けられている。発光装置３８は、発光体、例えば赤色のＬＥＤランプと、このＬＥＤランプに電力を供給して発光させる電池や充電池、太陽電池等の電源が内蔵されている。大径パイプシャフト２８は、全体が透明な樹脂で作られているほかに、全体は不透明でＬＥＤランプに対面する部分のみ透明に設けても良い。また、電源に光センサ回路が設けられていても良い。光センサ回路は、一定の明るさ以下に周囲の照度が低下すると、自動的に動作して電力をＬＥＤランプに供給するものである。さらに、脚部材２６には反射塗料を塗っても良い。
【００１７】
次にこの実施形態の自転車１０の使用方法について説明する。まず、自転車１０を運転するときは、脚部材２６の小径パイプシャフト３０を大径パイプシャフト２８の内側に収容し、地面から離間させて安全に走行する。停車して自転車１０を地面に自立させるときは、脚部材２６の小径パイプシャフト３０を大径パイプシャフト２８から引き出して、接地部材３６が地面に当接する長さで固定して、荷物篭１４を支持する。夜間になって周囲の照度が一定の明るさ以下に低下すると、光センサ回路が動作してＬＥＤランプに電力が供給され、発光する。また、電源にスイッチを設け、スイッチを操作して点灯や消灯を行っても良い。また、自転車１０の後輪には、一般的なスタンドを設け、駐輪のときに併用しても良い。発光装置３８の発光は、停車中のみならず、小径パイプシャフト３０を収納して走行している際にも発光しても良い。
【００１８】
この実施形態の自転車１０によれば、停車時に脚部材２６が確実に地面に立設され、荷物篭１４を確実に支持して自転車１０の転倒を防ぎ、荷物の積み下ろしが安全であり、幼児の乗り降りにも安全である。脚部材２６は、前輪２２から離れる方向に広がるように設けられているため、確実に転倒を防止する。さらに、ハンドル１２も固定されるため、ふらつきをなくし安定する。また、脚部材２６に取り付けられた発光装置３８が発光し、周囲に注意を促すことができ、衝突等を防ぎ、この点からも安全なものとなる。また、暗いときでも自分の自転車１０の駐輪場所が容易にわかり、また盗難等を防ぐ効果もある。
【００１９】
脚部材２６が必要ないときは、係合部２０の雌ねじ２５と大径パイプシャフト２８の雄ねじ３２の螺合を解除して、簡単に外すことができる。また、荷物篭１４の底部１４ａに固定板１６を取り付けるため、荷物篭１４の強度が向上する。また、脚部材２６はハンドル１２の幅に収まるように設定されているため、駐輪場に停めるとき他の自転車の邪魔にならない。また、脚部材２６は伸縮可能であるため、駐輪場所の地面が傾斜していたり凹凸があったりしても、長さを調節して自転車１０をほぼ垂直に立てることができる。脚部材２６を係合部２０に螺合させるときは、係合部２０が僅かに外側に向いているため、取り付けやすい。脚部材２６の長さ調節の操作は簡単であり、走行を始めるときは短時間で短くして走行の準備することができる。また、現在使用している自転車や、一般的に販売している自転車に、固定板１６を固定するだけで簡単に脚部２６を取り付けることができ、便利である。
【００２０】
なお、この発明の自転車１０は、上記実施の形態に限定されるものではなく、例えば発光体のランプの種類や発光する色等、変更可能である。また発光装置の形態は上記以外に、柔軟性を有しかつ薄い面状にした面発光体として、大径パイプシャフトの外側面に接着剤等で貼り付けても良い。また、脚部材の構造は大径パイプシャフトと小径パイプシャフトの二本ではなく、３本以上の径が異なるパイプシャフトが固定係止部材を介して挿通されていてもよい。固定係止部材の構造は、自由に変更可能であり、軸方向の回転により係止と解除を行うものの他に、レバー等の操作部を設けて係止・解除の操作を行うものなど、自由に変更可能である。脚部材の取付位置は、荷物篭に限定されず、フレームや幼児用シートに取り付けても良い。固定板や脚部のパイプシャフトの素材は、一定の強度を有するものであれば、金属製や樹脂性等、自由に選択可能である。
【図面の簡単な説明】
【００２１】
【図１】この発明の一実施形態の自転車の正面図である。
【図２】この実施形態の自転車の荷物篭と脚部材を示す右側面図である。
【符号の説明】
【００２２】
１０  自転車
１２  ハンドル
１４  荷物篭
１６  固定板
２０  係合部
２２  前輪
２６  脚部材
２８  大径パイプシャフト
３０  小径パイプシャフト
３８  発光装置
【図１】
2006327221.tif 000003
【図２】
2006327221.tif 000004